(57)【要約】【課題】第１に指に取り付けていつでも使用できる拡大鏡、第２に拡大鏡焦点が容易に合わせられること、第３に拡大鏡を使用しない時にも指に取り付けた状態で指先の作業ができること、第４に暗い所でも使用できるための照明が取り付けられる。【解決手段】第１に、指の取り付けはバンド１で装着を行う。第２に、アーム部分を次の三つの部材にわける３-ａ反転端と軸回転端３-ｂ軸回転端と軸折れ端３-ｃ軸折れ端とルーペ回転端の３部材を連結することで指先作業の焦点範囲をカバーすることで容易に焦点が合わせられる。第３に、使用中のルーペ指先の上にあり不使用時にはバンド１中ほどに取り付けられた反転軸付き台座２の反転軸を中心に指先から手首側に回転することで指先の作業の邪魔にならない。第４に、超小型照明５をアーム３-ｃに取り付ける事で解決できる。【選択図】図１
2006215414.tif 000002
【特許請求の範囲】
【請求項１】
親指または人差し指の付根部分に、反転軸付台座を中央付近に設けた指バンドで装着する、指先部分を拡大視するルーペ。反転軸に接続された自在アームを使用しアーム先端に付けたレンズの焦点を指先に合せる。あとは手を動かしても常に焦点が指先から動かない小型軽量の指に取り付けて使用することを特徴とするルーペ。図１参照
【請求項２】
ルーペ使用時以外にもの装着携帯する目的から、自在アームとルーペを反転する事で手作業をしても、引っ掛る事なく作業ができる反転構造とする。反転構造は、反転用の軸が一体なつた反転軸付台座を特徴する請求項１記載のルーペ。
【請求項３】
アーム部は、アーム反転・アーム軸回転・アーム軸折り曲げ・ルーペ軸回転の動きができる組み合わせアームで、指に負担がかからない小型軽量の自在アーム構造を特徴とする請求項１記載のルーペ。
【請求項４】
請求項1のルーペに、薄暗い所での使用する場合に照度不足をカバーする脱着可能な簡易防水機能を備えた、小型照明器。図２１参照
【発明の詳細な説明】
【技術分野】
【０００１】
本発明は、日常生活の中の、読み書き・裁縫・魚釣の針や糸結びなどの細かい物を見て作業する事に、不便を感じている人が常に装着携帯ができる汎用性の高いルーペに関するものである。
【背景技術】
【０００２】
一般的に現在使われているルーペは使用目的に合わせた単一的な構造で、片手にルーペを持って使用する形式（特許文献１）が多い。近頃は両手が使える台置き式（特許文献２、特許文献３）または指（特許文献４、特許文献６）や頭部（特許文献５）に装着するもの等がある。
【０００３】
【特許文献１】実開平１０−１９７号公報
【特許文献２】特開２００２−１４８５２７号公報
【特許文献３】特開２００４−８６１９９号公報
【特許文献４】特開２００４−２１９５３３号公報
【特許文献５】特開２００４−２７１６８３号公報
【特許文献６】特開２００４−２７９５０４号公報
【発明の開示】
【発明が解決しようとする課題】
【０００４】
上述した従来のルーペには、次のような問題があった。使用目的に合わせた専用構造のものが多く汎用性に劣る。
【０００５】
汎用性の少ない器具では、使用頻度が少なく一時収納することも多く収納場所が分からなくなり使用するまでの準備時間がルーペ使用時間より長くなる事も多い。
【０００６】
見る事だけあればルーペを片手に持つ事には問題ないが、針の糸通し作業等を行うには両手使用ができなければできない、両手使用が可能なものは大掛りな構造となり作業スペースが狭くなる事や、体への負荷が大きくなる。
【０００７】
老眼鏡は一般のメガメと違い常にかけて使用するものではなく、小さな文字など見る時だけに使用するもので、老眼鏡が必要とされる人には別の障害でメガネを使用している事が多く、メガネの掛け替えを余儀なくされる。
【０００８】
また、普段はメガネを必要としない人も、小さな文字等見る時にルーペ又は老眼鏡の助けがあればと思っても、常に持ち歩く事が煩わしくかさばる事からメガネや現在のルーペ構造での携帯は好まれない。
【０００９】
これからの社会情勢から考えると、契約条項などを益々細かく表記する傾向にあり視力が正常な人でも拡大鏡なしでは読み取る事が困難な中、今後の老齢化社会を考えた場合、室内外問わず趣味やレジャーの日常生活の中ですぐに使用できる小型軽量の両手が使える汎用性の高いルーペがあると良い。
【００１０】
本発明の第１の課題は、従来の単一的な構造部分を改良し汎用性が高く常に携帯・体に装着使用しても邪魔にならないルーペの開発を目的とする。
【００１１】
本発明の第２の課題は、使用場所が常に必要量の明るさがある所とは限らないことから使用範囲を広げるために、多少暗い所でも使用でき簡易防水を備えた小型照明装置の開発を目的とする。
【課題を解決するための手段】
【００１２】
上記第１の課題を解決するための請求項１記載のルーペは、小さな物を見るための道具で、小さい物を見る場合のほとんどが指先のものを見る事から、指先に近い指付根付近に装着する事を特徴とした。
【００１３】
それから、台の上に自然置いた手を見た場合、親指と人差し指が上の位置になることから、左右両手の親指と人差し指に装着使用できる構造を特徴とする。
【００１４】
また、細かな作業で使われる指先は親指と人差し指で他の指に比べ大きく動く。しかし、指の付根付近の動きはほとんどなく指の付根近くに装着すれば、器具先端のルーペ指先焦点からのズレやブレがほとんどない。
【００１５】
ルーペを反転した場合、反転支点とルーペの先端は、ほぼ手首までの間の上部にセットされる。手の上部は一般的な生活では使われる事はなく邪魔にならないので、過激な動きをしなければ一日中、腕時計と同じようにつけられる事を特徴とする。
【００１６】
上記第２の課題を解決するために、小型照明器は発光ダイオード又はハロゲンミニチュア球を光源としたアタッチメント部分と一体となった構造で、電源はＢＲ系ピン形リチウム一時電池を特徴と使用する。
【００１７】
電池差込口には、シリコンゴムリングと合成樹脂キャップで簡易防水する形状を特徴とする。
【００１８】
請求項３のアーム構造は、アーム先端のルーペ焦点を縦方向折り曲げ・軸回転・ルーペ１方向回転ができる構造とした、自在アームを使用する事で焦点合わせが容易にできることを特徴とする。
【発明の効果】
【００１９】
上述したように軽量コンパクトで汎用性が高いルーペの開発で常に携帯できて室内外問わず必要な時に即座使用できる。
【００２０】
これからの高齢社会の中、目の機能の衰えから文字の読み書き、指先の細かい作業を避ける人が多くなる。
【００２１】
このような事から考えた場合、汎用性の高いルーペが身近にあり利用できれば、読み書きは勿論趣味の釣や裁縫など色々使用できることで、指先を多く使う事となり脳に刺激が与えられ、いつまでも若さが保たれる。
【００２２】
年齢や性別関係なく契約事項などの書類表記文字は小さく読みにくい、必要事項を見つけだし確認する事さえ大変で詳しく読み取れないのが現状で、後で後悔する事も少なくない。常にルーペが携帯できる事で急に小さな文字確認が起きても即座に対応できる。
【発明を実施するための最良の形態】
【００２３】
以下、本発明の実施の携帯を図１〜図１２に基づいて説明する。
【００２４】
図においては、１指取り付バンド、２反転軸付台座、３自在アーム、４ルーペ、５小型照明装置、の５種類に大きく分けられる。
【００２５】
１指取り付けバンドは、ルーペ使用時の器具安定と、指から器具の取り付け取外しが容易にできるための機能を果たす。
【００２６】
１指取り付けバンドは、腕時計のスチールバンドと同じでバンドピースの増減で指の太さに調整あわせる機能を果たす。
【００２７】
２反転軸付台座は、本発明の目的である常に装着携帯ができる事を可能とする為に開発された、なくてはならない部品。
【００２８】
３自在アームは、ａ・ｂ・ｃ、の３種部分に分けられ、ａ反転軸取付材、ｂ回転・折り曲げ材、ｃルーペ取付材の３種から成立つ組み合わせアームで、ルーペの焦点合わせを容易にする為の機能を果たす。
【００２９】
４ルーペは、ａの拡大レンズ部とｂのレンズ固定フレーム部から成立つ。レンズとフレームを別々にしたのは、個々の希望に拡大倍率及び材質の取替ができるように別々のものとした。
【００３０】
５超小型照明装置は、ａ球一体取付アタッチメント・b防水リング・c防水キャツプとｂの電池の組み合わせからなり、暗い所での使用を可能とする。
【図面の簡単な説明】
【００３１】
【図１】本発明の装着図
【図２】全体側面図及び反転・動き状態
【図３】全体平面図及びルーペの動き
【図４】アーム部回転断面図
【図５】バンド・反転軸付台座・アーム・ルーペ、直角方向取付図
【図６】ルーペ部詳細図
【図７】ｃルーペ取付材詳細図
【図８】ｂ回転・折り曲げ材詳細図
【図９】ａ反転軸付台座詳細図
【図１０】反転軸付台座詳細図
【図１１】バンド形状図
【図１２】小型照明装置詳細図
【符号の説明】
【００３２】
１  指取り付けバンド
２  反転軸付台座
３  自在  アーム
４  ルーペ
５  小型照明装置
【図１】
2006215414.tif 000003
【図２】
2006215414.tif 000004
【図３】
2006215414.tif 000005
【図４】
2006215414.tif 000006
【図５】
2006215414.tif 000007
【図６】
2006215414.tif 000008
【図７】
2006215414.tif 000009
【図８】
2006215414.tif 000010
【図９】
2006215414.tif 000011
【図１０】
2006215414.tif 000012
【図１１】
2006215414.tif 000013
【図１２】
2006215414.tif 000014